(57)【特許請求の範囲】
【請求項１】
それぞれアドレスを備える複数台の端末器が信号線に分岐接続され、信号線に接続された伝送制御装置と前記各端末器との間で時分割多重伝送方式により伝送信号を授受するとともに、伝送制御装置に設定した関係データにより規定されるアドレスの対応関係を用いて端末器間でデータを授受するようにし、端末器に設けたスイッチの操作に応じて他の端末器に接続した負荷を制御する遠隔監視制御システムに用いられ、１つのスイッチの操作により複数の負荷を制御する関係データを作成し信号線を介して伝送制御装置に関係データを設定する設定器であって、各スイッチと負荷とのアドレスの対応関係の組ごとに識別子を付与して関係データを記憶する記憶手段と、各種情報を表示可能な表示部と、処理内容を指示する操作部と、操作部により負荷側の端末器のアドレスを指定すると記憶手段に格納された関係データに照会して指定されたアドレスを使用している識別子を表示部に表示させる中央処理装置とを備えることを特徴とする遠隔監視制御システム用の設定器。
【請求項２】
それぞれアドレスを備える複数台の端末器が信号線に分岐接続され、信号線に接続された伝送制御装置と前記各端末器との間で時分割多重伝送方式により伝送信号を授受するとともに、伝送制御装置に設定した関係データにより規定されるアドレスの対応関係を用いて端末器間でデータを授受するようにし、端末器に設けたスイッチの操作に応じて他の端末器に接続した負荷を制御する遠隔監視制御システムに用いられ、１つのスイッチの操作により複数の負荷を制御する関係データを作成し信号線を介して伝送制御装置に関係データを設定する設定器であって、各スイッチと負荷とのアドレスの対応関係の組ごとに識別子を付与して関係データを記憶する記憶手段と、各種情報を表示可能な表示部と、処理内容を指示する操作部と、操作部からの指示により記憶手段に格納された関係データに照会して利用可能かつ未使用の識別子を表示部に表示させる中央処理装置とを備えることを特徴とする遠隔監視制御システム用の設定器。
【請求項３】
前記識別子は順序番号であって、前記中央処理装置は、関係データを設定する際に前記操作部により識別子を指定すると指定された識別子より小さくもっとも近い識別子に対応付けられた負荷のアドレスのうち最小のアドレスから前記表示部に表示させることを特徴とする請求項１または請求項２記載の遠隔監視制御システム用の設定器。
【請求項４】
前記中央処理装置は、関係データを確認する際に操作部により指定した識別子に対応付けられた負荷のアドレスのうち最小のアドレスから前記表示部に表示させることを特徴とする請求項１または請求項２記載の遠隔監視制御システム用の設定器。
【請求項５】
前記中央処理装置は、前記操作部からの指示によりスイッチと負荷とのアドレスの対応関係の組に前記識別子を付与した関係データを選択的に前記伝送制御装置に転送させることを特徴とする請求項１または請求項２記載の遠隔監視制御システム用の設定器。
【請求項６】
電源としての電池を備え、前記中央処理装置は、前記操作部からの指示による作業開始時に電池容量を確認し作業終了までの電池容量がないときにその旨を前記表示器に表示させることを特徴とする請求項１または請求項２記載の遠隔監視制御システム用の設定器。
【請求項７】
前記中央処理装置は、前記操作部からの指示により前記伝送制御装置に設定された関係データと前記記憶手段に格納された関係データとを比較して前記表示部に異同を表示させることを特徴とする請求項１または請求項２記載の遠隔監視制御システム用の設定器。
【発明の詳細な説明】
【０００１】
【発明の属する技術分野】
本発明は、時分割多重伝送方式により伝送信号を信号線に伝送し、この伝送信号を用いてスイッチの操作による負荷制御を可能とした遠隔監視制御システムに用いられ、スイッチと負荷との対応関係を設定する遠隔監視制御システム用の設定器に関するものである。
【０００２】
【従来の技術】
従来から、図５８に示す構成の遠隔監視制御システムが知られている。この遠隔監視制御システムでは、伝送制御装置３０に接続された２線式の信号線Ｌｓに複数台ずつの操作端末器３１および制御端末器３２が分岐接続（マルチドロップ接続）される。図示例では、制御端末器３２を１台だけ示しているが、実際には複数台の制御端末器３２が用いられる。また、図示例では操作端末器３１として、個別スイッチ３１ａ、パターンスイッチ３１ｂが設けられ、さらに、後述するパターン設定器３３も信号線Ｌｓに接続されている。各操作端末器３１および各制御端末器３２には、それぞれ個別のアドレスが設定され、伝送制御装置３０はそれらのアドレスを用いて操作端末器３１および制御端末器３２を個別に認識する。個別スイッチ３１ａとパターンスイッチ３１ｂとはそれぞれスイッチＳａ，Ｓｂを備え、制御端末器３２には負荷Ｌが接続される。また、操作端末器３１には負荷Ｌの動作状態を確認するための発光ダイオードよりなる確認灯（図示せず）が設けられている。
【０００３】
伝送制御装置３０は信号線Ｌｓに対して、図５９（ａ）に示すフォーマットの伝送信号Ｖｓを送出する。すなわち、信号送出開始を示す同期信号ＳＹ、伝送信号Ｖｓのモードを示すモードデータＭＤ、操作端末器３１や制御端末器３２を各別に呼び出すためのアドレスデータＡＤ、負荷Ｌを制御する制御データＣＤ、伝送誤りを検出するためのチェックサムデータＣＳ、操作端末器３１や制御端末器３２からの返送信号（監視データ）を受信するタイムスロットである信号返送期間ＷＴよりなる双極性（±２４Ｖ）の時分割多重信号であり、パルス幅変調によってデータが伝送されるようになっている（図５９（ｂ））。各操作端末器３１および各制御端末器３２では、信号線Ｌｓを介して受信した伝送信号Ｖｓにより伝送されたアドレスデータＡＤがあらかじめ設定されているアドレスに一致すると、伝送信号Ｖｓから制御データＣＤを取り込むとともに、伝送信号Ｖｓの信号返送期間ＷＴに監視データを電流モード信号（信号線Ｌｓを適当な低インピーダンスを介して短絡することにより送出される信号）として返送する。
【０００４】
伝送制御装置３０から所望の操作端末器３１や制御端末器３２にデータを伝送する場合には、モードデータＭＤを制御モードとし、操作端末器３１または制御端末器３２のアドレスをアドレスデータＡＤとする伝送信号Ｖｓを送出し、この伝送信号Ｖｓを信号線Ｌｓに送出すれば、アドレスデータＡＤに一致する操作端末器３１または制御端末器３２が制御データＣＤを受け取り、信号返送期間ＷＴに監視データを返送する。伝送制御装置３０では送出した制御データＣＤと信号返送期間ＷＴに受信した監視データとの関係によって制御データＣＤが所望の操作端末器３１または制御端末器３２に伝送されたことを確認する。制御端末器３２は受け取った制御データＣＤに従って負荷Ｌを制御するための負荷制御信号を出力し、操作端末器３１では受け取った制御データＣＤに従って負荷Ｌの動作確認表示を行なうための監視信号を出力する。
【０００５】
一方、伝送制御装置３０は通常時にはモードデータＭＤをダミーモードとした伝送信号Ｖｓを一定時間間隔で送出しており（常時ポーリング）、操作端末器３１が伝送制御装置３０に対して何らかの情報を伝送しようとするときには、ダミーモードの伝送信号Ｖｓの同期信号ＳＹに同期させて図５９（ｃ）のような割込信号を発生させる。このとき、操作端末器３１は割込フラグを設定して伝送制御装置３０との以後の情報授受に備える。伝送制御装置３０では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した操作端末器３１では、割込ポーリングモードの伝送信号のアドレスデータＡＤの上位４ビットが操作端末器３１に設定されているアドレスの上位４ビットに一致するときに、信号返送期間ＷＴにアドレスの下位の半数のビットを伝送制御装置３０に返送する。このように、伝送制御装置３０は割込信号を発生した操作端末器３１を１６個ずつまとめて探すので、比較的短い時間で操作端末器３１を発見することができる。
【０００６】
伝送制御装置３０が割込信号を発生した操作端末器３１のアドレスを獲得すると、モードデータＭＤを監視モードとし、獲得したアドレスデータＡＤを持つ伝送信号を信号線Ｌｓに送出するのであって、この伝送信号に対して操作端末器３１は伝送しようとする情報を信号返送期間ＷＴに返送するのである。最後に、伝送制御装置３０は割込信号を発生した操作端末器３１に対して割込リセットを指示する信号を送出し、操作端末器３１の割込フラグを解除する。以上のようにして、操作端末器３１から伝送制御装置３０への情報伝送は、伝送制御装置３０から操作端末器３１への４回の信号伝送（ダミーモード、割込ポーリングモード、監視モード、割込リセット）によって完了する。伝送制御装置３０が所望の制御端末器３２の動作状態を知ろうとするときには、モードデータＭＤを監視データとした伝送信号を送出するだけでよい。
【０００７】
上述の動作を簡単にまとめる。まず、スイッチＳａ，Ｓｂの操作により入力データが発生すると、操作端末器３１から入力データに対応した監視データを伝送制御装置３０に返送し、伝送制御装置３０が制御端末器３２に制御データＣＤを伝送すると、制御端末器３２は負荷制御信号を出力して負荷Ｌを制御する。ここで、制御端末器３２には負荷監視入力が与えられ、負荷監視入力に対応する監視データを伝送制御装置３０に返送し、返送された監視データを操作端末器３１に伝送する。この伝送信号によって操作端末器３１では監視信号を出力する。監視出力は通常は確認灯の点灯・消灯に用いられる。また、個別スイッチ３１ａは最大４回路のスイッチＳａを備え、制御端末器３２は最大４回路の負荷Ｌが制御可能であって、個別スイッチ３１ａおよび制御端末器３２には各スイッチＳａや負荷Ｌを個別に認識するために２ビットの負荷番号が付加されている。以下では、上述した個別スイッチ３１ａないし制御端末器３２のアドレスをチャンネルと呼び、チャンネルと負荷番号とをまとめてアドレスと呼ぶことにする。つまり、各スイッチＳａ，Ｓｂ、各負荷Ｌにはそれぞれ個別のアドレスが付与されている。また、互いに一対一に対応する個別スイッチ３１ａと制御端末器３２とを同チャンネルに設定することにより対応関係をわかりやすくしてある（実際にはチャンネル番号に合わせて操作側か制御側かの区別もしてある。たとえば、アドレスデータのうちの上位数ビットで操作側か制御側かの別を表し、下位数ビットをチャンネルとして用いるのである）。
【０００８】
ところで、この種の遠隔監視制御システムでは、パターン操作Ｓｂと負荷Ｌとのアドレスの対応関係を伝送制御装置３０で管理しているから、伝送制御装置３０において１回路のスイッチＳｂのアドレスに複数回路の負荷Ｌのアドレスを関係データとして対応付けておけば、１回路のスイッチＳｂで複数回路の負荷Ｌを一括して制御することが可能である。このような一括制御にはグループ制御とパターン制御とがある。グループ制御では複数の負荷を同じ制御状態に制御し、パターン制御では複数の負荷をあらかじめ個々に設定した制御状態に制御する。図示例ではスイッチＳｂを備えたパターンスイッチ３１ｂを示しているが、グループ制御用の端末器であるグループスイッチは示していない。ただし、パターン制御やグループ制御では、一括制御用に定められている操作用アドレスを用いる点を除けば他の操作端末器と同様のものである。
【０００９】
上述のように、パターン制御を行なうためには伝送制御装置３０においてパターンスイッチ３１ｂに設けたスイッチＳｂのアドレスに複数回路の負荷Ｌのアドレスを対応付けて登録しておく必要があり、この種の設定操作をパターン設定と称している。グループ制御の場合も同様であるから、以下では、グループ制御を行なう設定操作をグループ設定と呼ぶ。
【００１０】
遠隔監視制御システムは、負荷Ｌを制御する制御モードと、パターン設定やグループ設定を行なう設定モードとの２つの動作モードを有している。つまり、遠隔監視制御システムを動作させると、伝送制御装置３０は、まず通常の制御モードになり、ダミーモードの伝送信号を信号線Ｌｓに送出する。割込信号がなければ、そのままダミーモードによる伝送信号を繰り返して発生する常時ポーリングを行なう。一方、割込信号があると、操作端末器３１を特定して操作端末器３１からの要求を取り込む。ここで、動作モードの変更が要求されていなければ、現状の動作モードを判別し、制御モードであれば負荷Ｌを制御し、設定モードであればパターン設定ないしグループ設定を行なう。また、動作モードの変更が要求されているときには、要求内容に応じて動作モードを変更する。
【００１１】
設定モードでパターン設定を行なうには、所望のパターンスイッチ３１ｂのスイッチＳｂを操作し、次に、そのスイッチＳｂによる制御対象となる負荷Ｌに対応付けられているスイッチＳａを操作するのである。ここに、各スイッチＳａと負荷Ｌとの関係は先に設定されていることが前提である。このような手順によりスイッチＳａ操作に応じた負荷Ｌの状態が伝送制御装置３０に関係データとして取り込まれ、１個のスイッチＳｂに複数の負荷Ｌの状態が対応付けられるのである。グループ設定もパターン設定とほぼ同様である。
【００１２】
一方、この種の遠隔監視制御システムでは、操作端末器３１の一種であるパターン設定器３３を用いることもある。パターン設定器３３は、１台の装置に複数台の操作端末器３１を設けたものに相当し、多数のスイッチＳを備えている（図示例のものは６４回路分のスイッチＳを備え、各スイッチＳで４回路分ずつの操作が可能となるようにスイッチで選択する構成になっている。したがって、２５６回路の操作が可能である）。各スイッチＳはアドレスを割り付けることによって、どのスイッチとしても用いることができるようになっている。
【００１３】
パターン設定器３３を用いるときには、パターンスイッチとして割り付けたスイッチＳを選択した後に、個別スイッチとして割り付けたスイッチＳの操作によって各負荷Ｌの制御状態を設定して関係データを作成し、この関係データを伝送制御装置３０に転送する。つまり、パターン設定器３３を設置している場所で関係データを作成することができるから、個別スイッチ３１ａとパターンスイッチ３１ｂとを用いてパターン設定を行なう場合に比較すると、作業が簡単になる。
【００１４】
【発明が解決しようとする課題】
ところで、個別スイッチ３１ａとパターンスイッチ３１ｂとを用いてパターン設定を行なうと、どのパターンスイッチ３１ｂにどの負荷Ｌが割り当てられているかは、各パターンスイッチ３１ｂを操作して確認しなければ知ることができないものである。また、パターン設定器３３を用いたとしても、パターン設定やグループ設定の空きアドレスを探すには、すべてのアドレスの確認が必要であるから、空きアドレスを探すのに手間がかかる。さらに、制御端末器３２に割り当てていないアドレスがパターン設定ないしグループ設定で用いられていないか否かを確認するには、各パターン設定や各グループ設定の内容を個別に調べる必要があり、多くの手間がかかるものである。要するに、誤設定の発見には非常に手間がかかるものである。
【００１５】
本発明は上記事由に鑑みて為されたものであり、その目的は、設定内容の確認を容易にして誤設定の発見を容易にした遠隔監視制御システムを提供することにある。
【００１６】
【課題を解決するための手段】
請求項１の発明は、各スイッチと負荷とのアドレスの対応関係の組ごとに識別子を付与して関係データを記憶する記憶手段と、各種情報を表示可能な表示部と、処理内容を指示する操作部と、操作部により負荷側の端末器のアドレスを指定すると記憶手段に格納された関係データに照会して指定されたアドレスを使用している識別子を表示部に表示させる中央処理装置とを備えるものである。
【００１７】
請求項２の発明は、各スイッチと負荷とのアドレスの対応関係の組ごとに識別子を付与して関係データを記憶する記憶手段と、各種情報を表示可能な表示部と、処理内容を指示する操作部と、操作部からの指示により記憶手段に格納された関係データに照会して利用可能かつ未使用の識別子を表示部に表示させる中央処理装置とを備えるものである。
【００２０】
請求項３の発明は、識別子が順序番号であって、中央処理装置が、関係データを設定する際に操作部により識別子を指定すると指定された識別子より小さくもっとも近い識別子に対応付けられた負荷のアドレスのうち最小のアドレスから表示部に表示させるものである。
【００２１】
請求項４の発明は、中央処理装置が、関係データを確認する際に操作部により指定した識別子に対応付けられた負荷のアドレスのうち最小のアドレスから表示部に表示させるものである。
【００２２】
請求項５の発明は、中央処理装置が、操作部からの指示によりスイッチと負荷とのアドレスの対応関係の組に識別子を付与した関係データを選択的に伝送制御装置に転送させるものである。
【００２３】
請求項６の発明は、電源としての電池を備え、中央処理装置が、操作部からの指示による作業開始時に電池容量を確認し作業終了までの電池容量がないときにその旨を表示器に表示させるものである。
【００２４】
請求項７の発明は、中央処理装置が、操作部からの指示により伝送制御装置に設定された関係データと記憶手段に格納された関係データとを比較して表示部に異同を表示させるものである。
【００２５】
なお、従来構成のパターン設定器３３は６４回路分のスイッチＳを備えているものであるから、大型かつ高価なものであって、しかも制御盤などに固定して使用するものであるから、小規模ないし中規模の遠隔監視制御システム（つまり、操作端末器３１および制御端末器３２の台数が比較的少ないシステム）に使用するには適していないものであるが、以下に示す実施形態では、携帯可能なケースを用いた設定器を示しており、使用場所の制限が少なく中小規模の遠隔監視制御システムでも利用可能になるものである。とくに、可搬としたことにより複数の遠隔監視制御システムに兼用することも可能になっている。さらに、パターン設定器３３では設定内容が発光ダイオードよりなる表示灯の点灯・消灯の状態で示されるだけであるから、パターン設定やグループ設定の内容が所望のアドレスの範囲になっているか否かがわかりにくいものであるが、以下に示す設定器３４は文字の表示により設定内容が容易にわかるようにしてある。
【００２６】
【発明の実施の形態】
本発明の設定器３４は、図１に示す外観形状を備える。この設定器３４は、片手で持つことができる程度の大きさに形成された扁平なケース１１を備え、ケース１１の前面上部には液晶表示器よりなる表示部１２が設けられ、ケース１１の前面下部には各種操作を行なうための操作部１３が設けられている。また、ケース１１の上面には後述する赤外線ワイヤレス信号を透過させる窓部１４が形成され、ケース１１の側面上部には信号線Ｌｓへの接続端子１５が設けられている。表示部１２や操作部１３の具体的な構成および機能は後述する。
【００２７】
ところで、設定器３４のケース１１には、図４に示すように、マイクロコンピュータ（以下、マイコンと略称する）を主構成とする中央処理装置２０が収納され、中央処理装置２０はＲＯＭ２１に格納されたシステムプログラムにより動作するとともに、記憶手段としてのＲＡＭ（ＥＥＰＲＯＭのような不揮発性メモリを用いてもよい）２２を作業領域として後述する各種作業が行なえるようになっている。また、中央処理装置２０は、信号送受信回路２３を介して接続端子１５に接続されており、信号送受信回路２３は遠隔監視制御システムの信号線Ｌｓを介して設定器３４と伝送制御装置３０との間でデータを送受可能とするものである。図２に示すように設定器３４を信号線Ｌｓに接続する際には、図３に示すように、ジャック型の接続端子１５に着脱自在に結合されるコネクタ１６を一端部に備える接続線１７を用い、接続線１７の他端を信号線Ｌｓに電気的に接続すればよい。信号線Ｌｓへの接続部としては、図３（ａ）のようなワニ口クリップ１８ａ、図３（ｂ）のようなピンプラグ１８ｂ、図３（ｃ）のようなＹ型端子１８ｃなどを用いることができる。これらの接続線１７は信号線Ｌｓのどの個所に接続するかに応じて適宜に選択される。
【００２８】
さらに、中央処理装置２０には液晶ドライバ２４を介して表示部１２としての液晶表示器２５が接続され、さらに、液晶表示器２５の背面側には発光ダイオードを光源として用いたバックライト２６が配置される。操作部１３は押操作の復帰力としてゴムの弾性を利用したいわゆるラバースイッチを複数用いて構成される。また、赤外線ワイヤレス信号を投受光するワイヤレス信号送受信回路２７も中央処理装置２０に接続されている。この設定器３４の電源には基本的には電池が用いられるが、信号線Ｌｓに接続しているときには信号線Ｌｓを伝送されている伝送信号を整流し安定化することによって電源を得ることも可能になっている。電源供給の機能は電源回路２８により実現される。なお、外部記憶装置（たとえばＩＣカード）やプリンタのような周辺機器を接続するために周辺装置接続用のドライバ２９ａおよび周辺機器との間で授受されるデータを一時的に保持するデータラッチ２９ｂが設けられている。
【００２９】
一方、本実施形態で用いる操作端末器３１および制御端末器３２は、伝送制御装置３０との間のデータの授受がマイコンを主構成とする端末処理部で行なわれ、アドレスや端末器の種別はＥＥＰＲＯＭよりなるデータ記憶部に格納される構成を有する。また、赤外線ワイヤレス信号を送受信するワイヤレス信号送受信部を有し、データ記憶部に格納される情報の設定、修正、確認には赤外線ワイヤレス信号を用いる。操作端末器３１には、個別スイッチ３１ａ、パターンスイッチ３１ｂのほか、グループ制御に用いるグループスイッチ、照明負荷の調光を指示する調光スイッチ３１ｃ（図２参照）、センサやスイッチが監視入力として接続される入力端末器などの種別があり、また制御端末器３２には、図２に示すように、負荷と電源との間に挿入されるリレーを制御するリレー端末器３２ａ、照明負荷への供給電力を制御して調光点灯させる調光端末器３２ｃなどの種別がある。
【００３０】
これらの各種端末器は、端末処理部、データ記憶部、ワイヤレス信号送受信部を共通構成としており、各端末器の種別がデータ記憶部に格納されることによって、端末処理部は端末器の種別に応じた動作を行なう。つまり、データ記憶部は一種のメモリスイッチないしパラメータメモリとして機能し、その設定内容に応じて端末処理部の動作が規定されるのである。換言すると、端末処理部は複数種類のプログラムモジュールを備え、データ記憶部の設定内容に応じてどのプログラムモジュールを用いるかが決定されるのである。データ記憶部に設定可能な情報としては、端末器の種別のほか、負荷をオンにする操作の後に一定時間だけ負荷をオンにする一時オン、負荷をオフにする操作から一定時間後に負荷をオフにする遅れオフ、照明負荷のオンないしオフの操作から照明負荷の光出力を徐々に増減させるフェードの機能も設定可能であり、これらの機能では時間も合わせて設定可能になっている。
【００３１】
ところで、上述した表示部１２は、図１に示すように、中央部に液晶表示器２５の画面が配置され、液晶表示器２５の画面の上辺に沿って「パターン種別」「アドレスＮｏ」「ＯＮ／ＯＦＦ」「タイマー」「調光」の文字が左から順に表記され、左辺に沿って「モード」「アドレス設定」「パターン設定」「初期」「特別」「確認」の文字が上から順に表記され、下辺に沿って「スイッチ」「入力Ｔ／Ｕ」「リレーＴ／Ｕ」「調光」「エラー」「電池切れ」の文字が左から順に表記されている。また、液晶表示器２５において左辺および下辺に沿って表記された文字のうち「モード」および「確認」を除いて各文字に対応する部位には、それぞれマーカＭ（図５参照）が設けられ、マーカＭを反転表示（他の部分と表示色が異なることを意味する）することによってどの内容が選択されているかを示すようになっている。液晶表示器２５はドットマトリクス型の表示器であって、任意の文字ないし図形を表示できるものを用いている。
【００３２】
ところで、操作部１３には押操作される多数のキーＫ１１〜Ｋ１８、Ｋ２１〜Ｋ２４、Ｋ３１〜Ｋ３４、Ｋ４１，Ｋ４２が設けられている。これらのキーは基本的には４種類に分けて配置される。キーＫ４１は電源のオンオフを選択するものであって、キーＫ４２はバックライト２６のオンオフを選択する。設定器３４の動作モードにはアドレス設定モード、パターン・グループ設定モード、初期設定モード、特別モードの４つのモードがあり、これらのモードはキーＫ２１〜Ｋ２４の押操作により選択される。キーＫ２１はアドレス設定モード、キーＫ２２はパターン・グループ設定モード、キーＫ２３は初期設定モード、キーＫ２４は特別モードに対応する。つまり、キーＫ２１〜Ｋ２４は選択的に押操作される。
【００３３】
キーＫ２１を操作してアドレス設定モードを選択すると、赤外線ワイヤレス信号により各端末器のデータ記憶部にアドレスや機能データを設定することができるようになる。アドレス設定モードが選択されると、図５に示すように、「アドレス設定」の文字に対応するマーカＭが反転表示される。また、従来の技術として説明したように１台の端末器には４個の負荷番号があるから、液晶表示器２５の１画面には上下４行になった４アドレス分の設定欄が表示される。また、設定欄は左右５列であって、４行５列の桝目を有する。各桝目の内容を変更するには、所望の桝目が反転表示された状態とすればよく、桝目を反転表示させるにはカーソルキーＫ１４を用いる。
【００３４】
カーソルキーＫ１４は上下左右の４個の矢印キーを備え、矢印キーを押操作すればその矢印キーの向きに反転表示の位置が移動する。また、アドレス種別（１列目の桝目）が個別であるときには、アドレスＮｏ（２列目の桝目）はチャンネル番号と負荷番号とをハイフンで結合した形で表示され、チャンネル番号と負荷番号とが各別に反転表示される。つまり、カーソルキ−Ｋ１４により反転表示の位置を移動させる際にチャンネル番号と負荷番号とは別々に反転表示になる。
【００３５】
アドレス種別は１列目の桝目が反転表示されている状態でキーＫ２１〜Ｋ２４を押操作することにより、グループスイッチ、パターンスイッチ、個別スイッチ、調光スイッチの中から端末器種別を選択することができる。なお、１列目が反転表示されているときには、ページキーＫ１５の操作によっても端末器種別を変更することができる。ページキーＫ１５は上下２個設けられており、上下のキーを操作すると端末器種別が順次表示される。
【００３６】
２列目の桝目内が反転表示されている状態ではページキーＫ１５を押操作することにより２列目の桝目内に表示されている数値を変更することができる。たとえば、チャンネル番号が反転表示されているときには上下のページキーＫ１５によりチャンネル番号を増減させ、負荷番号が反転表示されているときには負荷番号を増減させることができる。また、パターン種別がパターン（Ｐ）あるいはグループ（Ｇ）のときにはアドレスＮｏが反転表示されている状態で、ページキーＫ１５によって関係データの識別子であるパターン番号やグループ番号を変更することができる。さらに、アドレスＮｏの桝目が反転表示されているときにアドレスクリアキーＫ１２を押操作すれば、アドレスを消去することができる。
【００３７】
３列目の桝目が反転表示されている状態では、負荷をオンにするかオフにするかをページキーＫ１５で選択することになるが、このような操作はパターン設定やグループ設定のときのみ有効になる。また、４列目の桝目が反転表示されているときには、ページキーＫ１５により一時オン、遅れオフの指定ができ、合わせてその時間も選択される。つまり、一時オンでは３０秒、１分、５分、６０分、１２０分の選択が可能であり、遅れオフでは３０秒、１分、５分の選択が可能になっている。具体的には、一時オン３０秒、一時オン１分……というように、動作の種別と時間との組み合わせがページキーＫ１５により順次選択される。５列目の桝目が反転表示のときにはページキーＫ１５により調光レベルが選択される。この桝目はパターン種別が調光であるときに有効になるのであって、この設定がなされている操作端末器３１の操作部を操作してその操作部に対応付けられた照明負荷をオンにすれば、照明負荷を指定した調光レベルで点灯させることができる。なお、実行キーＫ１６を用いて１つの桝目の設定内容を確定でき、キャンセルキーＫ１７を用いて１つの桝目の設定内容を消去することができる。
【００３８】
上述のような操作によって１画面のアドレス設定が終了した後に、アドレスや機能データを設定する対象となる端末器との間でのみ赤外線ワイヤレス信号の授受が可能となるように、設定器３４を端末器に近づけてキーＫ１３を押操作すれば、ワイヤレス信号を端末器に伝送して画面上の設定内容を端末器のデータ記憶部に格納することができる。別の端末器の内容を設定する際には、上述の操作を繰り返すことも可能であるが、順送キーＫ１８を押操作すれば、アドレス（チャンネル番号）のみを順送りにして（１つ増加させて）同じ設定内容を液晶表示器２５の画面に表示させることができる。
【００３９】
ところで、アドレス設定モードにおいて、設定器３４を端末器に近づけた状態で確認キーＫ１１を押操作すれば、その端末器におけるデータ記憶部の設定内容が読み出されて液晶表示器２５の画面に表示される。したがって、既設の遠隔監視制御システムの場合には、確認キーＫ１１によりデータ記憶部の内容を確認した後に、アドレスや機能データを設定すればよい。このような操作によって、すでに設定されている内容を利用することも可能になる。
【００４０】
操作端末器３１においてスイッチを備えるものは、個別スイッチ，パターンスイッチ、グループスイッチ、調光スイッチのいずれにも用いることが可能であるが、操作端末器３１であっても外部スイッチやセンサが接続されるものはスイッチを備える操作端末器３１とは区別しなければならない。また、当然ながらリレー３２ａや調光制御端末器３２ｃも区別しなければならない。アドレス設定モードではアドレス設定の対象となる機器の種別を変更することも可能であって、機器種別を変更する際には図６のようなウインドウＷ１が表示されるがこの処理については詳述しない。なお、アドレスの設定対象となっている機器種別は液晶表示器２５の下辺に沿って移動するマーカＭの位置により示される。
【００４１】
上述のようにして各端末器にアドレスおよび機能データが設定された後には、パターン設定やグループ設定が可能になる。つまり、キーＫ２２によりパターン設定モードが選択されると、図７に示すような画面が表示される。このとき、「パターン設定」の文字に対応するマーカＭが反転表示になる。この状態ではキーＫ３１またはキーＫ３２の押操作によりグループ設定かパターン設定かの別を選択することができる。あるいはまた、１行１列の桝目が反転表示されている状態でページキーＫ１５を操作してもグループ設定かパターン設定かの別を選択することができる。さらに、グループ設定かパターン設定かの別を実行キーＫ１６により確定した後にページキーＫ１５を操作すればグループ番号やパターン番号を指定することができる。図示例ではパターン番号が１である状態を示しており、１行１列に「Ｐ１」が表示されている。パターン設定の内容についてはＲＡＭ２２に格納されており、また、外部記憶装置が接続されているときには外部記憶装置に登録したものを読み出してＲＡＭ２２に置くこともできる。
【００４２】
グループ設定は各負荷の状態が等しくなるように一括制御する設定であって、パターン設定のように各負荷の状態を個別に設定する場合の特例とも言えるから、以下ではパターン設定についてのみ説明する。パターン設定モードになると、図７に示すように、１列目にはパターン番号、フェードの有無、１台の端末器に接続されている負荷を一括してオンないしオフにする指定の有無が表示される。これらの指定は対応する桝目を反転表示した状態でページキーＫ１５を操作すれば内容を指定することができる。フェードについては、フェードなし、フェード３秒、フェード５秒、フェード１分の指定ができ、負荷の一括オンオフについては一括なし、一括オン，一括オフの指定ができる。２列目にはアドレスが表示されるが、アドレスについてはチャンネル番号のみをページキーＫ１５で指定することができる。さらに、３列目〜５列目についてはアドレス設定と同様の設定が可能である。
【００４３】
このように、パターン設定モードでは、端末器１台分ずつの内容を設定することができる。図示例では１台の端末器で複数の負荷番号に同じパターン番号を与えた例を示しているが、複数台の端末器について同じパターン番号を与える手順を採用しても、そのパターン番号に属する負荷を一括して制御することができる。各端末器についてパターン設定を行なうと、設定内容はＲＡＭ２２に格納される。したがって、ＲＡＭ２２の内容を参照すれば、各端末器にすでにパターン設定がなされているか否かを知ることができる。そこで、１台の端末器についてパターン設定を終了した後に順送キーＫ１８を操作して次チャンネルの端末器の選択を行なったときに、その端末器にすでにパターン設定がなされていると、警告音（図２には示していないが設定器３４には警告音を発生するブザーが設けられる）が発生し、液晶表示器２５の画面には図８のように上書きしてもよいかどうかの確認用のウインドウＷ２が表示される。ここで、順送キーＫ１８か実行キーＫ１６を操作すれば上書きされ、キャンセルキーＫ１７が操作されるとこのチャンネルの内容変更が中止される。パターン設定の終了には設定キーＫ１３を操作する。
また、パターン設定モードでは、パターン番号を指定すると、指定したパターン番号よりも小さくかつもっとも近いパターン番号に設定されているアドレスの最小値を液晶表示器２５に表示する。つまり、パターン設定において、連続するパターン番号に属する端末器はアドレスの近いものが多いということが経験的に知られているから、近いパターン番号に属する端末器のアドレスを表示することによって、パターン設定の設定作業が容易になるのである。本実施形態で用いる設定器３４は比較的小型であって液晶表示器２５の画面も小さいから、一度に表示できるアドレスの個数が比較的少なくアドレスの選択に際しては画面送りが必要になるが、上述のような表示形態を採用することにより、画面送りの回数を低減することができる可能性が高くなるのである。
【００４４】
さらに、パターン設定の内容を確認する場合には、パターン番号を指定して確認キーＫ１１を操作すると、指定したパターン番号に属する最小のアドレスから液晶表示器２５の画面に表示される。たとえば、パターン番号１のパターンに、属するアドレスの最小値が１０チャンネルであり最大値が１６チャンネルであるとすれば、１０チャンネルから画面に表示される。このことによっても、不要なチャンネル番号が画面に表示されることがなくなり、画面送りの回数を低減することができる。
【００４５】
上述の手順では、端末器ごとにパターン設定を行なうが、連続するアドレスを持つ複数台の端末器において負荷を同じ状態に設定するという作業も比較的多いものである。そこで、パターン設定モードにおいて特別キーＫ２４を操作することにより図９に示すような一括登録用の編集ウインドウＷ３を表示することもできるようにしてある。この編集ウインドウＷ３では、ページキーＫ１５により連続するアドレスの先頭と末尾とを指定し、かつ負荷の状態をオンにするかオフにするかを指定すれば、指定した範囲のアドレスに対応する負荷は一括して同じ状態に制御される。ここで、アドレスの先頭、末尾、負荷の状態のどれを設定するかはカーソルキーＫ１４でフィールドを指定し、そのフィールドの内容はページキーＫ１５で指定する。このような操作は以下でも同様である。編集ウインドウＷ３でパターン設定を行なうと、複数台の端末器の制御内容を一括して指定することができるから、作業の手間が大幅に省略される。なお、編集画面Ｐ２を終了させるには、キャンセルキーＫ１７を操作する。
【００４６】
キーＫ２３を操作したときには、設定器３４の各種機能を設定する初期設定モードになり、マーカＭが「初期」の文字に対応する位置で反転表示される。初期設定モードが選択されると、図１０に示すように、操作部１３の操作に伴ってブザーを鳴動させるか否か（発信音）、液晶表示器２５の画面のコントラスト、伝送制御装置（図示例では「伝送ユニット」と表示されている）３０の種別、初期特別設定の設定が可能になる。ブザーの鳴動の有無はページキーＫ１５により選択され、コントラストは棒グラフ表示されていてページキーＫ１５により段階が設定される。伝送制御装置３０の種別が選択可能になっているのは、伝送制御装置３０に各種製品があり、パターン設定やグループ設定の内容を規定した関係データを伝送制御装置３０に転送する際の手順や伝送信号の形態が異なるからである。具体的には伝送制御装置３０の型番がページキーＫ１５により選択される。設定用のフィールド間の移動にはカーソルキーＫ１４を用いる。
【００４７】
ただし、伝送制御装置３０を変更する場合には図１１に示すように確認用のウインドウＷ４が表示され、この状態で実行キーＫ１６を操作すれば伝送制御装置３０の変更が有効になるようにしてある。また、ウインドウＷ４の表示状態でキャンセルキーＫ１７を操作すれば伝送制御装置３０の変更を中止することができる。ここで、設定器３４のＲＡＭ２２に何らかの関係データが残っている状態で伝送制御装置３０を変更したときには、その関係データは対象とする遠隔監視制御システムのものではない可能性もあるから、確認のために図１２に示すウインドウＷ５が表示され、ここで現状の関係データを選択した伝送制御装置３０に対応するように変換するのか（カーソルキーＫ１４でＹＥＳを選択して実行キーＫ１６を操作する）、そのまま残すか（カーソルキーＫ１４でＮＯを選択して実行キーＫ１６を操作する）、あるいは現状の関係データを消去するか（カーソルキーＫ１４で消去を選択して実行キーＫ１６を操作する）を選択する。消去を選択した場合にはさらに消去してよいか否かの確認画面が表示され（図示せず）、その画面で消去を確定すると、ＲＡＭ２２の中の設定内容が消去される。
【００４８】
ところで、初期特別設定では、誤登録防止モード、電源切断時間、接続端末数変化監視の３内容の選択が可能であり、カーソルキーＫ１４により初期特別設定のフィールドを選択してページキーＫ１５を操作すれば、それぞれの内容に応じた図１３〜図１５に示すウインドウＷ６〜Ｗ８が表示される。図１３に示した誤登録防止モードのウインドウＷ６において実行キーＫ１６を押操作すれば端末器の存在するアドレスのみが表示されるようになり、キャンセルキーＫ１７を操作すればすべてのアドレスを表示することができるようになる。つまり、誤登録防止モードが選択されていると、パターン設定やグループ設定の際に、システムで未使用のアドレスをパターン設定やグループ設定に含めるのを防止することができる。つまり、ＲＡＭ２２の設定内容を参照することによって、遠隔監視制御システムに存在しないアドレスをパターン設定やグループ設定に含むのを防止することができる。
【００４９】
電池切断時間が選択されると、図１４に示すウインドウＷ７が表示され、キーが操作されなくなってから一定時間後に電源を遮断するか否かの選択（実行キーＫ１６とキャンセルキーＫ１７とを用いる）が可能になり、遮断する場合にはその時間の設定が可能になる（ページキーＫ１５を用いる）。
【００５０】
接続端末数変化監視が選択されると、図１５に示すウインドウＷ８が表示され、信号線Ｌｓに接続される端末器の台数の変化を監視するか否かが選択される（実行キーＫ１６とキャンセルキーＫ１７とを用いる）が可能になる。この機能では、端末器の状態をＲＡＭ２２に読み込み、ＲＡＭ２２上のデータに基づいて端末器の台数に変化があると、追加ないし削除された端末器のアドレスを液晶表示器２５に表示する。つまり、この機能を用いると、端末器と信号線Ｌｓとの接続が不安定な部位などを発見しやすくなる。
【００５１】
キーＫ２４を操作して特別モードを選択すると、「特別」の文字の位置でマーカＭが反転表示される。特別モードでは、図１６に示す画面が表示され、データ転送、チェック、編集、設定状態の４モードをページキーＫ１５の操作によって選択した後に実行キーＫ１６を操作することにより、各モードが選択される。
【００５２】
データ転送は、関係データの転送相手を、伝送制御装置３０とするか、プリンタあるいは外部記憶装置としてのＩＣカードとするかを選択するモードであって、ページキーＫ１５による選択後に実行キーＫ１６を操作すれば転送相手を決定することができる（図１６では伝送制御装置３０が選択されている）。ここで、読み込みか書き出しか内容照合かの別をページキーＫ１５で選択すると図１７のような画面が表示される（ただし、図１７は書き込み（出力）を示している）。この画面においてキーＫ３１，Ｋ３２のいずれかを操作すれば、図１８、図１９の画面が順次選択される。図１８の画面で実行キーＫ１６を押操作すれば、すべての関係データが転送され、図１８の画面ではパターン番号の範囲を指定して実行キーＫ１６を押操作すれば、指定された範囲の関係データのみが転送される。ここにおいて、転送される関係データは、設定内容が存在するもののみであり、未使用のパターン番号やグループ番号についてはデータを転送しないようにしてある。このことにより、不要なデータの転送で信号線Ｌｓが使用されるのを防止し、信号線Ｌｓのトラフィックの増加を抑制することができる。パターン番号の指定にはページキーＫ１５が用いられる。要するに、他の指定の場合と同様に、カーソルキーＫ１４でフィールドを選択し、ページキーＫ１５で入力値を指定するのである。関係データの転送中に転送を中止したければ、キャンセルキーＫ１７を操作する。なお、伝送制御装置３０が転送相手であるときには、接続線１７を用いて信号線Ｌｓと接続しておくのは言うまでもない。
【００５３】
チェックは、遠隔監視制御システムの動作状態を示すシステム状態表示、遠隔監視制御システムが設定された関係データを用いて実際に動作するか否かの動作確認、遠隔監視制御システムにおける未使用アドレスの表示、遠隔監視制御システムにおける各端末器のアドレスがパターン設定やグループ設定で使用されているか否か（端末登録表示という）の機能を有している。したがって、チェックを行なうには、接続線１７を介して信号線Ｌｓに接続していることが必要である。
【００５４】
システム状態表示では、図２０の画面が表示され、各チャンネルごとに各負荷番号の負荷のオンオフの状態が表示される。また、未使用チャンネルは「−」で示される。この表示のためには、伝送制御装置３０が管理している負荷のオンオフに関するデータをＲＡＭ２２に読み込んで、ＲＡＭ２２の内容を監視すればよい。この機能を用いると、現場調整時には複数台の端末器に同じアドレスを重複して設定してしまうようなトラブルを低減することができる。
【００５５】
動作確認は、設定器３４を操作端末器に代えて用いることにより、制御端末器にアドレスが適切に設定されているか否かを確認するモードであって、動作確認モードの選択後に、カーソルキーＫ１４およびページキーＫ１５を用いると、図２１〜図２３のような画面を表示することができる。つまり、図２１の画面を表示すればパターン制御が可能になり、図２２の画面では調光制御が可能になる。これらの画面を表示した状態で実行キーＫ１６を操作すれば、その画面に表示されているパターン番号（グループ番号）ないしアドレスが伝送制御装置３０の関係データと照合される。なお、パターン番号やアドレスについてもカーソルキーＫ１４およびページキーＫ１５の操作により選択することができる。
【００５６】
いま、図２１に示したパターン制御の場合で説明すれば、実行キーＫ１６の操作により指定されたパターン番号に対応するアドレスを照合する状態になり図２３のような画面が表示される。照合の結果、そのアドレスの端末器が存在していれば、照合の終了後に「照合」の文字が消えて図２４の画面に移行するが、照合したアドレスが存在しなければ図２５のようなウインドウＷ９により制御不能の旨が表示される。また、対応しないアドレスが表示される。さらに、対応しないアドレスが複数存在するときには下向き三角形のマークＮが表示され、このマークＮが表示されたときにはページキーＫ１５の操作によって他のアドレスを順次表示させることができるようになっている。要するに、設定器３４と伝送制御装置３０との関係データを照合することができる。この機能を用いると、設定器３４から伝送制御装置３０に転送した関係データが間違いなく伝送制御装置３０に設定されたことを確認することができる。
【００５７】
未使用アドレスを表示するように選択すると、図２６に示すような画面が表示される。この画面では未使用のアドレスを持つチャンネルおよび負荷番号が表示される。未使用のアドレスを持つチャンネルは横並びに表示され、各チャンネルごとに負荷番号が使用されているか否かが縦並びに表示される。また、使用中のアドレスには負荷のオンオフが表示される。この画面が図２０のシステム状態表示と異なる点は、システム状態表示では遠隔監視制御システムで使用される全チャンネルの情報が表示されるのに対して、図２６の画面では未使用アドレスを含むチャンネルの情報のみが表示される点である。
【００５８】
端末登録表示が選択されると、図２７に示すように、所望の負荷のアドレスを入力する画面が表示され、カーソルキーＫ１４によりフィールドを選択した状態でページキーでアドレスを選択した後に、実行キーＫ１６を操作すれば、選択したアドレスの負荷がパターン設定ないしグループ設定で用いられているか否かを検索することができる。検索結果は、図２８のような画面で表示され、そのアドレスを用いるパターン番号およびグループ番号が一覧表示される。ここでは、アドレスが「１２−３」である負荷を、パターン番号が１、２、３のパターン設定とグループ番号が１０、１２６のグループ設定とで用いていることがわかる。この機能を用いることにより、パターン制御やグループ制御の際に不要な負荷が動作しているときに、その負荷がどのパターンないしグループに属しているかを容易に知ることでパターン設定やグループ設定の内容を修正しやすくなる。
【００５９】
特別モードにおいて、編集が選択されると、反転、コピー、消去、範囲指定入力が選択可能になる。これらの選択も上述した例と同様にページキーＫ１５により所望の項目を選択した状態で、実行キーＫ１６を操作すればよい。反転が選択されると、図２９に示すような画面になり、パターン設定ないしグループ設定で設定されている負荷のオンオフの状態を反転させることが可能になる。この画面ではカーソルキーＫ１４によりパターン番号ないしグループ番号が表示されているフィールドを選択した状態で、ページキーＫ１５により所望のパターン番号ないしグループ番号を選択し、実行キーＫ１６を操作すればパターン設定ないしグループ設定における負荷のオンオフの設定状態を反転させることができる。
【００６０】
コピーが選択されると、図３０に示すような画面になり、特定のパターン番号ないしグループ番号の設定内容を他のパターン番号ないしグループ番号の設定内容として複写することが可能になる。つまり、複写元のパターン番号ないしグループ番号と、複写先のパターン番号ないしグループ番号とを指定して実行キーＫ１６を操作すれば、複写元から複写先に同一内容が複写される。ここに、パターン番号ないしグループ番号の選択にはページキーＫ１５を用いる。
【００６１】
消去が選択されると、図３１に示すような画面になり、ＲＡＭ２２に格納されている関係データの消去が可能になる。消去の範囲は、全データ、全パターン、全グループのいずれかであって、ページキーＫ１５を用いていずれかを選択し、実行キーＫ１６を操作すれば、選択した範囲の関係データが消去される。
【００６２】
範囲指定入力は、所望範囲のアドレスのみをパターン設定ないしグループ設定の対象とするか、あるいはその範囲のアドレスをパターン設定ないしグループ設定の対象外とするかを選択することができる。つまり、範囲指定入力を選択すると、パターン番号ないしグループ番号を選択する状態となり、パターン番号ないしグループ番号が選択されるとアドレスの範囲を入力する状態になる。ここで、アドレスの範囲を与えると、その範囲の負荷をオンにするかオフにするかあるいは制御対象外とするかの選択が可能になる。また、負荷の調光制御が可能であるときには調光レベルの入力が可能になる。
【００６３】
特別モードにおける設定状態モードでは、遠隔監視制御システムを負荷制御が行なわれる通常状態とするか、関係データを伝送制御装置３０に設定する設定状態とするかを選択することができる。つまり、図３２に示すようなウインドウＷ１０が表示され、現在の状態（通常状態か設定状態かの別）が示されるとともに、他の状態に変化させるか否かの確認が行なわれる。ここで、ページキーＫ１５により変更するか否かを選択し実行キーＫ１６を操作すれば、遠隔監視制御システムに対して動作状態の変更の有無を指示することができる。動作状態の変更は、通常の伝送信号を用いて伝送制御装置３０に指示を与えることにより実現される。
【００６４】
また、設定状態モードでは、パターン設定やグループ設定において用いている番号を一覧表示することもできる。つまり、図３３に示すように、パターン番号ないしグループ番号が液晶表示器２５の画面に８個ずつ表示され、各番号が使用されているときには○印が表示される。表示されているパターン番号やグループ番号を変更する場合には、ページキーＫ１５を操作する。この機能によって、関係データが設定されているパターン番号やグループ番号の内容を変更してしまうという誤操作を低減することができる。なお、この機能はＲＡＭ２２の内容を参照することによって実現することができる。
【００６５】
さらに、設定状態モードでは、各パターン番号ないしグループ番号で用いているアドレスの設定状態も表示することができる。つまり、図３４に示すように、液晶表示器２５の画面には各パターン番号ないしグループ番号ごとに各アドレスの設定内容が表示される。図示例ではパターン番号が１であるスイッチに対して、０チャンネルから３チャンネルまでの各負荷の設定内容が示されている。この状態でページキーＫ１５を操作すれば、他のチャンネルの負荷の設定状態も表示される。なお、「−」はそのアドレスが遠隔監視制御システムで使用されていないことを示している。
【００６６】
ところで、上述した各機能のほか、本実施形態における設定器３４は、以下のような機能も備えている。たとえば、電源投入時に信号線Ｌｓに接続されていると、電源投入に際して伝送制御装置３０の型番を確認する機能がある。つまり、図３５に示すようなウインドウＷ１１を表示して伝送信号を用いて伝送制御装置３０に対して型番を要求する信号を伝送し、この要求に対する伝送制御装置３０からの応答に応じて伝送制御装置３０の型番ないし種別を確認する。この処理を行なうのは、設定器３４と伝送制御装置３０との間での関係データの伝送手順として、負荷制御に用いる通常の伝送信号を用いる場合や、伝送信号とは別形式の特別な信号を用いる場合などがあり、伝送制御装置３０に応じて伝送手順が異なるからである。伝送制御装置３０の種別を確認したときに、設定器３４における現状の種別と異なっていると、図３６に示すようなウインドウＷ１２を表示し、設定器３４に設定されている伝送制御装置３０の種別を変更するか否かが確認される。ここで、ページキーＫ１５を用いて種別の変更の有無を選択し、実行キーＫ１６を操作すれば、伝送制御装置３０の種別を変更するか否かを決定することができる。
【００６７】
設定器３４において液晶表示器２５の下辺に対応する部位には「電池切れ」の表記があり、液晶表示器２５にはこの表記に対応する部位に電池を示す図形が表示され、その図形の中には電池の残量が示される（３個の四角形が横一列に並び、電池の容量が大きいほど反転表示される四角形の個数が多くなるようにして残量を表示する）。ここで、特定の処理ができなくなる程度に電池の容量が少なくなると、その処理の指示を行なったときに、図３７に示すように、液晶表示器２５に電池交換を促すウインドウＷ１３画面が表示される。たとえば、関係データを伝送制御装置３０に転送するには３０〜４０分間の時間を要する場合があり、このような作業中に電池の容量がなくなると作業が無駄になるから、あらかじめ警告することによって作業の無駄を防止することができる。さらに電池の容量が少なくなれば、何らかの処理を行なうか否かにはかかわらず、図３８のように電池交換を促すウインドウＷ１４が表示される。
【００６８】
ところで、各種機能の実行中にエラーが生じると、液晶表示器２５の画面にエラーの発生が表示される。図３９は遠隔監視制御システムの信号線Ｌｓに接続した状態で行なう機能を実行しようとするときに、伝送信号（図示例では伝送信号を「フル２線信号」と呼んでいる）が検出されない状態を示しており、このエラーの内容を知りたいときには実行キーＫ１６を操作する。また、内容の確認をせず機能の実行を中止するときにはキャンセルキーＫ１７を操作する。実行キーＫ１６を操作したときには、図４０の画面が表示され、信号線Ｌｓに接続されていないか、伝送制御装置３０が動作していないかのいずれかの原因であることが示される。この画面において、さらに対策を知りたければ実行キーＫ１６を操作し、図４１の画面を表示する。図４０、図４１の画面においてキャンセルキーＫ１７を操作すれば、前の画面に戻ることができる。
【００６９】
図４２は、制御ができない状態を示しており、この画面で実行キーＫ１６を操作すれば、図４３の画面が表示されてエラーの原因が説明される。ここでは、遠隔監視制御システムが設定状態であることが表示されている。さらに実行キーＫ１６を操作すれば、図４４に示すように、この原因に対する処置の方法が示される。この時点で、処置するか否かを実行キーＫ１６ないしキャンセルキーＫ１７により選択することができる。実行キーＫ１６により処置の実行を選択すれば、図４５のように設定状態が解除され、キャンセルキーＫ１７を操作すれば、前画面に戻ることができる。
【００７０】
他のエラーについても同様であって、たとえば、図４６では伝送制御装置３０にデータを入出力できない状態、図４９では制御ができない状態、図５２では伝送制御装置３０との間で関係データを授受できない状態をそれぞれ示している。また、各エラーが表示されたときに、実行キーＫ１６を操作すれば、図４７、図５０、図５３に示すように、各エラーの詳細情報を表示することができ、詳細情報が表示されたときに実行キーＫ１６を操作すれば、図４８、図５１、図５４のように処置を表示することができる。要するに、エラーが検出されると、エラーがあったことが表示され、必要に応じて詳細や処置を表示して、比較的簡単なエラーであれば、画面の指示によって処置することができる。
【００７１】
なお、設定器３４には現場調整用の各種機能を付加してあり、遠隔監視制御システムの制御動作を確認したり、制御の履歴を記憶したりする機能を備えている。たとえば、図５５に示すように、「動作確認」か「その他」かを選択し、次に図５６のような「動作確認表示項目」の画面が表示されたときに、伝送信号の制御データを表示する「制御命令」、伝送信号のアドレスを表示する「動作アドレス」、リレー端末器３２ａのリレーの動作をトライの動作回数を「リトライ回数」を選択する。動作の履歴は図５７のように制御の履歴が一覧表示され、ページキーＫ１５を用いることで表示をスクロールさせることができる。
【００７２】
【発明の効果】
請求項１の発明は、各スイッチと負荷とのアドレスの対応関係の組ごとに識別子を付与して関係データを記憶する記憶手段と、各種情報を表示可能な表示部と、処理内容を指示する操作部と、操作部により負荷側の端末器のアドレスを指定すると記憶手段に格納された関係データに照会して指定されたアドレスを使用している識別子を表示部に表示させる中央処理装置とを備えるものであり、たとえば、パターン制御やグループ制御のような一括制御の際に、制御対象ではない負荷が動作するようなときに、その負荷のアドレスを指定して識別子（パターン番号やグループ番号）を得るようにすれば、パターン設定ないしグループ設定における誤設定を容易に発見することができる。つまり、パターン設定やグループ設定での現場調整が容易になる。
【００７３】
請求項２の発明は、各スイッチと負荷とのアドレスの対応関係の組ごとに識別子を付与して関係データを記憶する記憶手段と、各種情報を表示可能な表示部と、処理内容を指示する操作部と、操作部からの指示により記憶手段に格納された関係データに照会して利用可能かつ未使用の識別子を表示部に表示させる中央処理装置とを備えるものであり、未使用の識別子を表示することで、設定可能な識別子を容易に知ることができ、すでに設定されている識別子の設定内容を変更してしまうのを防止することができる。
【００７６】
請求項３の発明は、識別子が順序番号であって、中央処理装置が、関係データを設定する際に操作部により識別子を指定すると指定された識別子より小さくもっとも近い識別子に対応付けられた負荷のアドレスのうち最小のアドレスから表示部に表示させるものであり、連続した識別子に類似した関係データを設定しようとするときに、端末器の指定に要する時間を短縮することができ、比較的小さい画面の表示器を用いる場合でも関係データを効率よく設定することができる。
【００７７】
請求項４の発明は、中央処理装置が、関係データを確認する際に操作部により指定した識別子に対応付けられた負荷のアドレスのうち最小のアドレスから表示部に表示させる中央処理装置とを備えるものであり、設定された関係データを確認する際に、識別子に対応付けられている最小のアドレスから表示が開始されるから、登録されていない端末器は表示されず端末器の確認に要する時間を短縮することができる。なお、指定した識別子に対して端末器が登録されていなければ、最小のアドレスは０チャンネルになる。このことにより、未使用の識別子を容易に知ることができ、既設定の識別子に関係データを誤設定する可能性を低減することができる。
【００７８】
請求項５の発明は、中央処理装置が、操作部からの指示によりスイッチと負荷とのアドレスの対応関係の組に識別子を付与した関係データを選択的に伝送制御装置に転送させるものであり、不必要なデータを転送しないから、関係データを短時間で転送することができる。
【００７９】
請求項６の発明は、電源としての電池を備え、中央処理装置が、操作部からの指示による作業開始時に電池容量を確認し作業終了までの電池容量がないときにその旨を表示器に表示させるものであり、作業中に電池切れが生じるおそれがあれば表示器によって報知されるから、作業中の電池切れを防止することができる。
【００８０】
請求項７の発明は、中央処理装置が、操作部からの指示により伝送制御装置に設定された関係データと記憶手段に格納された関係データとを比較して表示部に異同を表示させるものであり、設定器に設定された関係データと伝送制御装置に設定された関係データとを比較することにより、同じ関係データが伝送制御装置にすでに設定されているか否か、あるいは設定器から転送した関係データが伝送制御装置に確実に設定されたか否かなどの確認が容易に行える。
【図面の簡単な説明】
【図１】本発明の実施形態を示し、（ａ）は正面図、（ｂ）は側面図、（ｃ）は平面図である。
【図２】同上の使用例を示す概略構成図である。
【図３】同上に用いる接続線の例を示す図である。
【図４】同上のブロック図である。
【図５】同上の動作説明図である。
【図６】同上の動作説明図である。
【図７】同上の動作説明図である。
【図８】同上の動作説明図である。
【図９】同上の動作説明図である。
【図１０】同上の動作説明図である。
【図１１】同上の動作説明図である。
【図１２】同上の動作説明図である。
【図１３】同上の動作説明図である。
【図１４】同上の動作説明図である。
【図１５】同上の動作説明図である。
【図１６】同上の動作説明図である。
【図１７】同上の動作説明図である。
【図１８】同上の動作説明図である。
【図１９】同上の動作説明図である。
【図２０】同上の動作説明図である。
【図２１】同上の動作説明図である。
【図２２】同上の動作説明図である。
【図２３】同上の動作説明図である。
【図２４】同上の動作説明図である。
【図２５】同上の動作説明図である。
【図２６】同上の動作説明図である。
【図２７】同上の動作説明図である。
【図２８】同上の動作説明図である。
【図２９】同上の動作説明図である。
【図３０】同上の動作説明図である。
【図３１】同上の動作説明図である。
【図３２】同上の動作説明図である。
【図３３】同上の動作説明図である。
【図３４】同上の動作説明図である。
【図３５】同上の動作説明図である。
【図３６】同上の動作説明図である。
【図３７】同上の動作説明図である。
【図３８】同上の動作説明図である。
【図３９】同上の動作説明図である。
【図４０】同上の動作説明図である。
【図４１】同上の動作説明図である。
【図４２】同上の動作説明図である。
【図４３】同上の動作説明図である。
【図４４】同上の動作説明図である。
【図４５】同上の動作説明図である。
【図４６】同上の動作説明図である。
【図４７】同上の動作説明図である。
【図４８】同上の動作説明図である。
【図４９】同上の動作説明図である。
【図５０】同上の動作説明図である。
【図５１】同上の動作説明図である。
【図５２】同上の動作説明図である。
【図５３】同上の動作説明図である。
【図５４】同上の動作説明図である。
【図５５】同上の動作説明図である。
【図５６】同上の動作説明図である。
【図５７】同上の動作説明図である。
【図５８】従来の遠隔監視制御システムの構成例を示す図である。
【図５９】同上の動作説明図である。
【符号の説明】
Ｌ  負荷
Ｌｓ  信号線
Ｓ  操作部
Ｓａ  操作部
Ｓｂ  操作部
１２  表示部
１３  操作部
２０  中央処理装置
２２  ＲＡＭ
２５  液晶表示器
３０  伝送制御装置
３１  操作端末器
３１ａ  個別スイッチ
３１ｂ  パターンスイッチ
３１ｃ  調光スイッチ
３２ａ  リレー端末器
３２ｃ  調光端末器
３４  設定器
【図１】
0003565005.tif 000002
【図２】
0003565005.tif 000003
【図３】
0003565005.tif 000004
【図４】
0003565005.tif 000005
【図５】
0003565005.tif 000006
【図６】
0003565005.tif 000007
【図７】
0003565005.tif 000008
【図８】
0003565005.tif 000009
【図９】
0003565005.tif 000010
【図１０】
0003565005.tif 000011
【図１１】
0003565005.tif 000012
【図１２】
0003565005.tif 000013
【図１３】
0003565005.tif 000014
【図１４】
0003565005.tif 000015
【図１５】
0003565005.tif 000016
【図１６】
0003565005.tif 000017
【図１７】
0003565005.tif 000018
【図１８】
0003565005.tif 000019
【図１９】
0003565005.tif 000020
【図２０】
0003565005.tif 000021
【図２１】
0003565005.tif 000022
【図２２】
0003565005.tif 000023
【図２３】
0003565005.tif 000024
【図２４】
0003565005.tif 000025
【図２５】
0003565005.tif 000026
【図２６】
0003565005.tif 000027
【図２７】
0003565005.tif 000028
【図２８】
0003565005.tif 000029
【図２９】
0003565005.tif 000030
【図３０】
0003565005.tif 000031
【図３１】
0003565005.tif 000032
【図３２】
0003565005.tif 000033
【図３３】
0003565005.tif 000034
【図３４】
0003565005.tif 000035
【図３５】
0003565005.tif 000036
【図３６】
0003565005.tif 000037
【図３７】
0003565005.tif 000038
【図３８】
0003565005.tif 000039
【図３９】
0003565005.tif 000040
【図４０】
0003565005.tif 000041
【図４１】
0003565005.tif 000042
【図４２】
0003565005.tif 000043
【図４３】
0003565005.tif 000044
【図４４】
0003565005.tif 000045
【図４５】
0003565005.tif 000046
【図４６】
0003565005.tif 000047
【図４７】
0003565005.tif 000048
【図４８】
0003565005.tif 000049
【図４９】
0003565005.tif 000050
【図５０】
0003565005.tif 000051
【図５１】
0003565005.tif 000052
【図５２】
0003565005.tif 000053
【図５３】
0003565005.tif 000054
【図５４】
0003565005.tif 000055
【図５５】
0003565005.tif 000056
【図５６】
0003565005.tif 000057
【図５７】
0003565005.tif 000058
【図５８】
0003565005.tif 000059
【図５９】
0003565005.tif 000060